(57)【要約】【課題】  従来のカメラでは、無電源状態ではモータを駆動させられないため、羽根部材を動かして開口部を遮蔽状態にすることができず、ゴミ等のカメラ内部への侵入を防ぐことができない。【解決手段】  レンズユニット３をカメラ本体から取り外す際のレンズユニット３の回転動作に連動して、開口部１１の周囲にピンＢ１〜Ｂ４によって軸支された遮蔽幕Ａが閉じて開口部１１が遮蔽される。また、レンズユニット３をカメラ本体に装着する際のレンズユニット３の回転動作に連動して、開口部１１の周囲にピンＢ１〜Ｂ４によって軸支された遮蔽幕Ａが開いて開口部１１が開放される。このため、電力を必要とせずに、レンズユニット３をデジタルカメラ２に着脱する際の手動力で、開口部１１を遮蔽および開放することができる。この結果、カメラ２の内部にゴミ等が侵入するのを防止することができる。【選択図】  図２
2011013399.tif 000002
【特許請求の範囲】
【請求項１】
レンズユニットがカメラ本体に着脱自在なカメラにおいて、
前記レンズユニットが取り付けられる前記カメラ本体に形成された開口部の周囲に軸支され、前記レンズユニットを前記カメラ本体から取り外す際の前記レンズユニットの回転動作に連動して前記開口部を遮蔽し、前記レンズユニットを前記カメラ本体に装着する際の前記レンズユニットの回転動作に連動して前記開口部を開放する遮蔽幕
を備えることを特徴とするカメラ。
【請求項２】
請求項１に記載のカメラにおいて、
前記遮蔽幕は、前記開口部を遮蔽する遮蔽状態において展開し、前記開口部を開放する開放状態において畳まれる複数の羽根から構成される
ことを特徴とするカメラ。
【請求項３】
請求項２に記載のカメラにおいて、
前記遮蔽幕は、複数の前記羽根から構成される羽根ユニットが、前記レンズユニットと前記カメラ本体との接触面に対する高さがそれぞれ異なって前記開口部の周囲に複数軸支されている
ことを特徴とするカメラ。
【請求項４】
請求項１から請求項３のいずれか１項に記載のカメラにおいて、
前記開口部を開放する開放状態から前記開口部を遮蔽する遮蔽状態へ前記遮蔽幕を付勢する付勢部材を備えている
ことを特徴とするカメラ。
【請求項５】
請求項１から請求項４のいずれか１項に記載のカメラに着脱され、
前記開口部に装着させられる回転動作に連動して前記遮蔽幕を前記開口部から退避させて前記開口部を開放させ、前記開口部から取り外される回転動作に連動して前記遮蔽幕を前記開口部に覆わせて前記開口部を遮蔽させる突出部材を備えるレンズユニット。
【発明の詳細な説明】
【技術分野】
【０００１】
本発明は、レンズユニットがカメラ本体に着脱自在なカメラおよびこれに着脱されるレンズユニットに関する。
【背景技術】
【０００２】
従来、この種のカメラとしては、例えば、特許文献１に開示されたカメラがある。このカメラは、カメラボディの開口部の内側近傍に、開口部を遮蔽状態と開放状態とに切り換える遮蔽装置が配置されている。遮蔽装置は、遮蔽部材である４枚の羽根部材と、駆動機構と、モータとを有している。開口部を遮蔽状態にする遮蔽モード時には、駆動機構がモータによって作動されることにより４枚の羽根部材が広げられ、開口部が遮蔽される。また、開口部を開放状態にする開放モード時には、駆動機構がモータによって作動されることにより４枚の羽根部材が退避させられ、開口部が開放される。
【先行技術文献】
【特許文献】
【０００３】
【特許文献１】特開２００７−１８３４８３号公報
【発明の概要】
【発明が解決しようとする課題】
【０００４】
しかしながら、特許文献１に開示された従来のカメラでは、モータの駆動によって駆動機構が作動されることで、羽根部材が動かされて開口部が遮蔽状態にされ、ゴミ等がカメラ内部へ侵入するのが防止されている。このため、無電源状態ではモータを駆動させられないため、羽根部材を動かして開口部を遮蔽状態にすることができず、ゴミ等のカメラ内部への侵入を防ぐことができない。また、羽根部材を動かすモータや駆動機構の配置スペースをカメラ内部に大きく確保する必要があり、カメラが大型化する。
【課題を解決するための手段】
【０００５】
本発明はこのような課題を解決するためになされたもので、
レンズユニット（３）がカメラ本体に着脱自在なカメラ（２）において、
レンズユニット（３）が取り付けられるカメラ本体に形成された開口部（１１）の周囲に軸支され、レンズユニット（３）をカメラ本体から取り外す際のレンズユニット（３）の回転動作に連動して開口部（１１）を遮蔽し、レンズユニット（３）をカメラ本体に装着する際のレンズユニット（３）の回転動作に連動して開口部（１１）を開放する遮蔽幕（Ａ）を備えて、カメラ（２）を構成した。
【０００６】
本構成によれば、レンズユニット（３）をカメラ本体から取り外す際のレンズユニット（３）の回転動作に連動して、開口部（１１）の周囲に軸支された遮蔽幕（Ａ）が閉じて開口部（１１）が遮蔽される。また、レンズユニット（３）をカメラ本体に装着する際のレンズユニット（３）の回転動作に連動して、開口部（１１）の周囲に軸支された遮蔽幕（Ａ）が開いて開口部（１１）が開放される。このため、電力を必要とせずに、レンズユニット（３）をカメラ本体に着脱する際の手動力で、開口部（１１）を遮蔽および開放することができる。この結果、レンズユニット（３）をカメラ本体から取り外す際の手動力で遮蔽幕（Ａ）を閉じて開口部（１１）を遮蔽できるため、無電源状態においても、開口部（１１）を介してカメラ（２）の内部にゴミ、塵、および埃等が侵入するのを防止することができるカメラ（２）が提供される。また、従来のように、遮蔽幕（Ａ）を動かすモータや駆動機構の配置スペースをカメラ（２）内部に確保する必要もないため、小型なカメラ（２）が提供されると共に、モータや駆動機構を必要としない分だけ安価なカメラ（２）が提供される。
【０００７】
また、本発明は、遮蔽幕（Ａ）が、開口部（１１）を遮蔽する遮蔽状態において展開し、開口部（１１）を開放する開放状態において畳まれる複数の羽根から構成されることを特徴とする。
【０００８】
本構成によれば、開口部（１１）を遮蔽する遮蔽状態において展開し、開口部（１１）を開放する開放状態において畳まれる複数の小さな羽根で、遮蔽幕（Ａ）が構成される。このため、開口部（１１）を開放する開放状態において、複数の羽根が小さく畳まれて、カメラ（２）に遮蔽幕（Ａ）をコンパクトに収納できるので、より小型なカメラ（２）が提供される。
【０００９】
また、本発明は、遮蔽幕（Ａ）の、複数の羽根から構成される羽根ユニット（Ａ１〜Ａ４）が、レンズユニット（３）とカメラ本体との接触面に対する高さがそれぞれ異なって開口部（１１）の周囲に複数軸支されていることを特徴とする。
【００１０】
本構成によれば、複数の羽根から構成される羽根ユニット（Ａ１〜Ａ４）が、レンズユニット（３）とカメラ本体との接触面に対する高さがそれぞれ異なって開口部（１１）の周囲に複数軸支されるため、開口部（１１）を開放または遮蔽する際に、各羽根ユニット（Ａ１〜Ａ４）の羽根同士が接触して、開口部（１１）を開放または遮蔽できなくなってしまうことがない。このため、遮蔽幕（Ａ）を開放状態から遮蔽状態または遮蔽状態から開放状態にスムーズに移行させることができ、また、レンズユニット（３）をカメラ（２）に着脱する際の故障が低減される。
【００１１】
また、本発明は、開口部（１１）を開放する開放状態から開口部（１１）を遮蔽する遮蔽状態へ遮蔽幕（Ａ）を付勢する付勢部材（２０）を備えていることを特徴とする。
【００１２】
本構成によれば、遮蔽幕（Ａ）は、付勢部材（２０）により、開口部（１１）を開放する開放状態から開口部（１１）を遮蔽する遮蔽状態へ、付勢される。このため、撮影者がカメラ（２）からレンズユニット（３）を取り外す際、付勢部材（２０）の付勢により、撮影者が特別な操作を行うことなく、遮蔽幕（Ａ）は、開口部（１１）を開放する開放状態から開口部（１１）を遮蔽する遮蔽状態へ自動的に移行して、開口部（１１）は自動的に閉じる。この結果、撮影者がカメラ（２）からレンズユニット（３）を取り外す際、開口部（１１）を閉じ忘れて、開口部（１１）を介してカメラ（２）の内部にゴミ、塵、および埃等が侵入することもなくなる。
【００１３】
また、本発明は、開口部（１１）に装着させられる回転動作に連動して遮蔽幕（Ａ）を開口部（１１）から退避させて開口部（１１）を開放させ、開口部（１１）から取り外される回転動作に連動して遮蔽幕（Ａ）を開口部（１１）に覆わせて開口部（１１）を遮蔽させる突出部材（３ｂ）を備えて、レンズユニット（３）を構成した。
【００１４】
本構成によれば、カメラ（２）に設けられた遮蔽幕（Ａ）は、レンズユニット（３）がカメラ（２）の開口部（１１）に装着させられる回転動作に連動して、レンズユニット（３）に設けられた突出部材（３ｂ）が移動することにより、開口部（１１）から退避して開口部（１１）を開放させる。また、レンズユニット（３）がカメラ（２）の開口部（１１）から取り外される回転動作に連動して、レンズユニット（３）に設けられた突出部材（３ｂ）が移動することにより、開口部（１１）を覆って開口部（１１）を遮蔽させる。このため、電力を必要とせずに、レンズユニット（３）の着脱によってカメラ（２）の開口部（１１）を開閉することができる。この結果、レンズユニット（３）をカメラ本体から取り外す際の手動力で遮蔽幕（Ａ）を閉じて、カメラ（２）の開口部（１１）を遮蔽できるため、無電源状態においても、開口部（１１）を介してカメラ（２）の内部にゴミ、塵、および埃等が侵入するのを防止することができるレンズユニット（３）が提供される。
【発明の効果】
【００１５】
本発明によれば、上記のように、無電源状態においても、開口部（１１）を介してカメラ（２）の内部にゴミ、塵、および埃等が侵入するのを防止することができるカメラ（２）およびレンズユニット（３）が提供される。また、モータや駆動機構を必要としない分だけ小型で安価なカメラ（２）が提供される。
【図面の簡単な説明】
【００１６】
【図１】本発明の一実施の形態によるデジタルカメラおよびレンズユニットの外観の概略を示す平面図である。
【図２】（ａ）は、図１に示すデジタルカメラの遮蔽状態にある開口部の正面図、（ｂ）は、図１に示すデジタルカメラの縦断面図である。
【図３】図１に示すデジタルカメラの開口部における遮蔽幕の側面図である。
【図４】図１に示すデジタルカメラの開放状態にある開口部の正面図である。
【図５】（ａ）は、図１に示すデジタルカメラの遮蔽状態にある遮蔽幕および遮蔽幕開閉リングの正面図、（ｂ）は、その側面図である。
【図６】図１に示すデジタルカメラの開放状態にある遮蔽幕および遮蔽幕開閉リングの正面図である。
【発明を実施するための形態】
【００１７】
次に、本発明をデジタルカメラおよびこれに着脱されるレンズユニットから構成されるカメラセットに適用した一実施の形態について説明する。
【００１８】
図１は、この一実施形態によるカメラセット１の外観を示す平面図である。
【００１９】
カメラセット１は、デジタルカメラ２と、このデジタルカメラ２のカメラ本体前面のマウントリング４に着脱自在なレンズユニット３とから構成されている。マウントリング４には、デジタルカメラ２の内部に被写体光を取り込む開口部が形成されている。また、マウントリング４のマウント面４ａと当接するレンズユニット３のマウント面３ａには、ピン３ｂがデジタルカメラ２側に突出して設けられている。また、デジタルカメラ２の正面から見て左側には、撮影時に撮影者によって握られるグリップ部２ａが設けられている。このグリップ部２ａの上面には、撮影用のシャッターボタンであるレリーズボタン５が設けられており、レリーズボタン５の手前側のデジタルカメラ２の上面には、デジタルカメラ２に現在設定されている撮影情報などが表示される表示装置６が設けられている。また、グリップ部２ａの後部には、シャッタースピードや絞り値等を設定するコマンドダイヤル７が設けられている。また、グリップ部２ａと反対側のデジタルカメラ２の上面には、撮影モードを設定する撮影モードダイヤル８が設けられており、デジタルカメラ２の上面中央のペンタ部９手前側には、レンズユニット３から取り込まれる被写体像を観察するビューファインダ１０が設けられている。
【００２０】
図２（ａ）は、デジタルカメラ２の前面に設けられたマウントリング４に形成される開口部１１が遮蔽状態にあるときの正面図で、同図（ｂ）は、デジタルカメラ２の縦断面図である。なお、同図において図１と同一部分には同一符号を付してその説明は省略する。
【００２１】
遮蔽幕Ａを構成する４つの羽根ユニットＡ１〜Ａ４は、レンズユニット３が取り付けられるマウントリング４に形成された開口部１１の周囲にピンＢ１〜Ｂ４によって軸支されており、レンズユニット３をデジタルカメラ２から取り外す際のレンズユニット３の回転動作に連動して、開口部１１を遮蔽する。開口部１１を遮蔽する図２（ａ）に示す遮蔽状態において、羽根ユニットＡ１〜Ａ４は、それぞれピンＢ１〜Ｂ４を中心に複数の羽根が展開している。４本のピンＢ１〜Ｂ４は、マウントリング４の内周面に、図２（ｂ）に示すように、撮影光軸方向に突出して、撮影光軸まわりに等間隔に設けられている。なお、簡略化のため、図２（ｂ）においては３つの羽根ユニットＡ１〜Ａ３、および羽根ユニットＡ１〜Ａ３を軸支する３本のピンＢ１〜Ｂ３の図示を省略している。また、リング状のマウントリング４の内側に形成された開口部１１内には、リング状の遮蔽幕開閉リング１２が回転自在に設けられている。
【００２２】
図３は、デジタルカメラ２の開口部１１における羽根ユニットＡ１、Ａ２、Ａ３およびＡ４の側面図であり、同図において図２と同一部分には同一符号を付してその説明は省略する。なお、簡略化のため、図３においては遮蔽幕開閉リング１２の図示を省略している。
【００２３】
羽根ユニットＡ１〜Ａ４は上記のピンＢ１〜Ｂ４によってマウントリング４に開閉自在に軸支されている。ピンＢ１〜Ｂ４の撮影光軸方向の高さは、それぞれ異なっており、時計回りにＢ３、Ｂ２、Ｂ１、Ｂ４の順に低くなっている。従って、これらのピンＢ３、Ｂ２、Ｂ１、Ｂ４を介してマウントリング４上に軸支されている各羽根ユニットＡ１〜Ａ４の高さもそれぞれ異なっており、時計回りにＡ３、Ａ２、Ａ１、Ａ４の順に低くなっている。このように遮蔽幕Ａは、複数の羽根から構成される羽根ユニットＡ１〜Ａ４が、レンズユニット３とデジタルカメラ２との接触面であるマウント面４ａに対する高さがそれぞれ異なって、開口部１１の周囲に複数軸支されている。
【００２４】
図４は、デジタルカメラ２の開放状態にある開口部１１の正面図である。なお、同図において図２と同一部分には同一符号を付してその説明は省略する。
【００２５】
遮蔽幕Ａは、レンズユニット３をデジタルカメラ２に装着する際のレンズユニット３の回転動作に連動して、開口部１１を開放する。開口部１１を開放する図示の開放状態において、開口部１１を覆う円周方向に配置されていた羽根ユニットＡ１〜Ａ４は、それぞれピンＢ１〜Ｂ４を中心に複数の羽根が折り畳まれる。羽根ユニットＡ１〜Ａ４は、折り畳まれるとマウントリング４のマウント面４ａ内に隠れて収納されて、開口部１１を開放させる。
【００２６】
また、遮蔽幕開閉リング１２には、開口部１１の内側に突出した４つの突起部Ｃ１〜Ｃ４が形成されている。これらの各突起部Ｃ１〜Ｃ４には、撮影光軸方向においてマウント面４ａから離れる側に突出した４本のピンＤ１〜Ｄ４が設けられている。図２（ｂ）には、そのうち１本のピンＤ１が図示されている。これらのピンＤ１〜Ｄ４は、各側面が各羽根ユニットＡ１〜Ａ４に接触している。レンズユニット３がデジタルカメラ２に装着される際、レンズユニット３が回転操作されて遮蔽幕開閉リング１２が回転すると、各羽根ユニットＡ１〜Ａ４に接触しているピンＤ１〜Ｄ４も同様に回転して、各羽根ユニットＡ１〜Ａ４を折り畳み、図４に示すように開口部１１を開放する。
【００２７】
なお、図２および図４並びに後述する図５および図６において、デジタルカメラ２の正面から見て、マウントリング４で隠れるところに位置する遮蔽幕Ａ、ピンＢ１〜Ｂ４、およびピンＤ１〜Ｄ４は、デジタルカメラ２の正面から見ることはできないが、簡略化のため、実線で表示して図示してある。
【００２８】
図５（ａ）は、図２（ａ）に示すように遮蔽状態にある遮蔽幕Ａのうちの羽根ユニットＡ１および遮蔽幕開閉リング１２の正面図、同図（ｂ）は、その側面図である。また、図６は、図４に示すように、開放状態にある遮蔽幕Ａのうちの羽根ユニットＡ１および遮蔽幕開閉リング１２の正面図である。なお、図５および図６において図２と同一部分には同一符号を付してその説明は省略する。
【００２９】
デジタルカメラ２は、開口部１１を開放する開放状態から開口部１１を遮蔽する遮蔽状態へ遮蔽幕Ａを付勢するバネを付勢部材として備えている。マウントリング４に軸支された羽根ユニットＡ１は、この付勢部材を構成するバネ２０により、図６に示す開放状態から図５に示す遮蔽状態へ付勢されている。この遮蔽状態において、遮蔽幕開閉リング１２上に突出して配置されているピンＤ１は、図５（ｂ）に示すように羽根ユニットＡ１に接触している。
【００３０】
図５（ａ）に示した、羽根ユニットＡ１が展開して開口部１１が遮蔽された遮蔽状態において、レンズユニット３がデジタルカメラ２に装着される際のレンズユニット２の回転動作に連動してピンＤ１が移動すると、羽根ユニットＡ１は、バネ２０の付勢力に抗してピンＤ１に押される。このため、羽根ユニットＡ１は、図６に示すように折り畳められてマウントリング４の外径内に収納され、開口部１１が開放される。
【００３１】
次に、上述した構成を持つデジタルカメラ２の開口部１１に対するレンズユニット３の着脱動作について説明する。
【００３２】
レンズユニット３のマウント面３ａとマウントリング４のマウント面４ａとが合わせられ、レンズユニット３がデジタルカメラ２に装着させられる方向に回転操作されると、レンズユニット３のピン３ｂは、図５（ａ）に示すように、矢印Ｅ方向に反時計回りに回転して遮蔽幕開閉リング１２の突起部Ｃ３に接触し、遮蔽幕開閉リング１２を矢印Ｅ方向に回転させる。この回転に連動してピンＤ１も反時計回りに回転し、ピンＤ１に接触している羽根ユニットＡ１は図６に示すように折り畳まれて開口部１１から退避し、開口部１１を開放させる。
【００３３】
一方、レンズユニット３がデジタルカメラ２に装着された状態で、レンズユニット３がデジタルカメラ２から取り外される方向に回転操作されると、レンズユニット３のピン３ｂは、図６に示すように、矢印Ｆ方向に時計回りに回転して遮蔽幕開閉リング１２の突起部Ｃ２に接触し、遮蔽幕開閉リング１２を同様に時計回りに回転させる。この回転に連動してピンＤ１も時計回りに回転し、ピンＤ１によって開放状態に押さえつけられていた羽根ユニットＡ１は、バネ２０の付勢により、開口部１１を覆い、図５に示すように開口部１１を遮蔽する。ここで、レンズユニット３のピン３ｂは、開口部１１にレンズユニット３が装着させられる回転動作に連動して、遮蔽幕Ａを開口部１１から退避させて開口部１１を開放させ、開口部１１から取り外される回転動作に連動して、遮蔽幕Ａを開口部１１に覆わせて開口部１１を遮蔽させる突出部材を構成する。
【００３４】
このような本実施形態によるデジタルカメラ２によれば、レンズユニット３をカメラ本体から取り外す際のレンズユニット３の回転動作に連動して、開口部１１の周囲にピンＢ１〜Ｂ４によって軸支された遮蔽幕Ａが閉じて開口部１１が遮蔽される。また、レンズユニット３をカメラ本体に装着する際のレンズユニット３の回転動作に連動して、開口部１１の周囲にピンＢ１〜Ｂ４によって軸支された遮蔽幕Ａが開いて開口部１１が開放される。このため、電力を必要とせずに、レンズユニット３をデジタルカメラ２に着脱する際の手動力で、開口部１１を遮蔽および開放することができる。この結果、レンズユニット３をカメラ本体から取り外す際の手動力で遮蔽幕Ａを閉じて開口部１１を遮蔽できるため、無電源状態においても、開口部１１を介してデジタルカメラ２の内部にゴミ、塵、および埃等が侵入するのを防止することができるデジタルカメラ２が提供される。また、従来のように、遮蔽幕Ａを動かすモータや駆動機構の配置スペースをデジタルカメラ２内部に確保する必要もないため、小型なデジタルカメラ２が提供されると共に、モータや駆動機構を必要としない分だけ安価なデジタルカメラ２が提供される。
【００３５】
また、本実施形態によるデジタルカメラ２によれば、図２（ａ）および図５（ａ）に示すように開口部１１を遮蔽する遮蔽状態において展開し、図４および図６に示すように開口部１１を開放する開放状態において畳まれる複数の小さな羽根で、遮蔽幕Ａが構成される。このため、開口部１１を開放する開放状態において、複数の羽根が小さく畳まれて、デジタルカメラ２に遮蔽幕Ａをコンパクトに収納できるので、より小型なデジタルカメラ２が提供される。
【００３６】
また、本実施形態によるデジタルカメラ２によれば、複数の羽根から構成される羽根ユニットＡ１〜Ａ４が、図３に示すようにマウント面４ａに対する高さがそれぞれ異なって開口部１１の周囲に複数軸支されるため、開口部１１を開放または遮蔽する際に、各羽根ユニットＡ１〜Ａ４の羽根同士が接触して、開口部１１を開放または遮蔽できなくなってしまうことがない。このため、遮蔽幕Ａを開放状態から遮蔽状態または遮蔽状態から開放状態にスムーズに移行させることができ、また、レンズユニット３をデジタルカメラ２に着脱する際の故障が低減される。
【００３７】
また、本実施形態によるデジタルカメラ２によれば、遮蔽幕Ａは、バネ２０により、開口部１１を開放する図６に示す開放状態から開口部１１を遮蔽する図５（ａ）に示す遮蔽状態へ付勢される。このため、撮影者がデジタルカメラ２からレンズユニット３を取り外す際、バネ２０の付勢により、撮影者が特別な操作を行うことなく、遮蔽幕Ａは、開口部１１を開放する開放状態から開口部１１を遮蔽する遮蔽状態へ自動的に移行して、開口部１１は自動的に閉じる。この結果、撮影者がデジタルカメラ２からレンズユニット３を取り外す際、開口部１１を閉じ忘れて、開口部１１を介してデジタルカメラ２の内部にゴミ、塵、および埃等が侵入することもなくなる。
【００３８】
また、本実施形態によるレンズユニット３によれば、デジタルカメラ２に設けられた遮蔽幕Ａは、レンズユニット３がデジタルカメラ２の開口部１１に装着させられる回転動作に連動して、レンズユニット３に設けられたピン３ｂが移動することにより、開口部１１から退避して開口部１１を開放させる。また、レンズユニット３がデジタルカメラ２の開口部１１から取り外される回転動作に連動して、レンズユニット３に設けられたピン３ｂが移動することにより、開口部１１を覆って開口部１１を遮蔽させる。このため、電力を必要とせずに、レンズユニット３の着脱によってデジタルカメラ２の開口部１１を開閉することができる。この結果、レンズユニット３をデジタルカメラ２から取り外す際の手動力で遮蔽幕Ａを閉じて、デジタルカメラ２の開口部１１を遮蔽できるため、無電源状態においても、開口部１１を介してデジタルカメラ２の内部にゴミ、塵、および埃等が侵入するのを防止することができるレンズユニット３が提供される。
【００３９】
なお、上記の実施形態において、遮蔽幕開閉リング１２が、バネ等により開口部１１を開放する開放状態から開口部１１を遮蔽する遮蔽状態へ、つまり図６の時計回りに付勢される構成であってもよい。この構成によれば、レンズユニット３がデジタルカメラ２から取り外される際、遮蔽幕開閉リング１２の付勢により、開口部１１を開放する開放状態から開口部１１を遮蔽する遮蔽状態へ自動的に移行させることができ、レンズユニット３に設けられたピン３ｂにより、遮蔽幕開閉リング１２の突起部Ｃ２を押して遮蔽幕開閉リング１２を回転させる必要はない。
【産業上の利用可能性】
【００４０】
上記実施形態においては、本発明をデジタルカメラおよびこれに着脱されるレンズユニットに適用した場合について説明したが、フィルム式のいわゆる銀塩カメラおよびこれに着脱されるレンズユニット等にも適用することが可能である。このようなカメラおよびレンズユニットに本発明を適用した場合においても、上記実施形態と同様な作用効果が奏される。
【符号の説明】
【００４１】
１…カメラセット
２…デジタルカメラ
３…レンズユニット
３ａ…マウント面
３ｂ…ピン
４…マウントリング
４ａ…マウント面
１１…開口部
１２…遮蔽幕開閉リング
２０…バネ
Ａ…遮蔽幕
Ａ１〜Ａ４…羽根ユニット
Ｂ１〜Ｂ４…ピン
Ｃ１〜Ｃ４…突起部
Ｄ１〜Ｄ４…ピン
【図１】
2011013399.tif 000003
【図２】
2011013399.tif 000004
【図３】
2011013399.tif 000005
【図４】
2011013399.tif 000006
【図５】
2011013399.tif 000007
【図６】
2011013399.tif 000008